(57)【要約】【課題】簡便な構成で倉庫内の温度上昇を抑えることができる防災備蓄倉庫を提供すること。【解決手段】防災備蓄倉庫１０は、倉庫本体１１と屋根部材３０とを備えて構成されている。倉庫本体１１は、防災用物資１を収納可能として、開閉可能な扉部を有する。屋根部材３０は、倉庫本体１１の上面側を構成している天井壁２６との間に、側方からの空気Ａの流入と排出とを可能とする隙間Ｓを空けて、倉庫本体１１の天井壁２６の上方を覆うように配設されている。【選択図】図３
0003121540.tif 000002
【実用新案登録請求の範囲】
【請求項１】
防災用物資を収納する防災備蓄倉庫であって、
前記防災用物資を収納可能として開閉可能な扉部を有した倉庫本体と、
該倉庫本体の上面側を構成している天井壁との間に、側方からの空気の流入と排出とを可能とする隙間を空けて、前記倉庫本体の天井壁の上方を覆うように配設される屋根部材と、
を備えて構成されていることを特徴とする防災備蓄倉庫。
【請求項２】
前記屋根部材が、上面側に配置される板状の屋根板材と、前記屋根板材を下面側から支持可能に前記倉庫本体の天井壁と前記屋根板材との間に配置される支持部材と、から構成され、
前記屋根板材が、一方の縁側を高く、他方の縁側を低くするように傾斜して前記支持部材に支持されて配設されるとともに、傾斜方向と直交する方向の断面を連続する凹凸の山形状としていることを特徴とする請求項１に記載の防災備蓄倉庫。
【請求項３】
前記扉部が、前記倉庫本体の正面に配設され、
前記屋根板材が、正面側の前縁側を高く、背面側の後縁側を低くする傾斜として、配設されていることを特徴とする請求項２に記載の防災備蓄倉庫。
【考案の詳細な説明】
【技術分野】
【０００１】
本考案は、災害時等の屋外等において食材を調理する鍋・かまど等の調理用具や保存可能な食材等の防災用物資を収納する防災備蓄倉庫に関する。
【背景技術】
【０００２】
従来、防災備蓄倉庫では、気温の低い冬季においては、収納する物資の保存に支障が生じ難いものの、気温の高い夏季では、倉庫内の温度が上昇して物資が変質し易いことから、倉庫内の温度上昇を抑えるものが望まれていた。そのため、従来の防災備蓄倉庫では、物資の保存性を考慮して、倉庫の壁面全てに、断熱層を設けて構成するものがあった（例えば、特許文献１参照）。また、倉庫内を積極的に冷却できるように、発電機を設け、発電機によって発生させた電力を利用して、保冷装置を作動させる構成の防災備蓄倉庫もあった（例えば、特許文献２参照）。
【特許文献１】特開２０００−１７８８１号公報
【特許文献２】特開２００５−２２４０１８号公報
【考案の開示】
【考案が解決しようとする課題】
【０００３】
これらの従来の防災備蓄倉庫では、壁面全てに断熱層を設けたり、別途、発電機や保冷装置等を設けることから、大量の物資を収納可能な集中備蓄管理型の大型の倉庫であれば、それらの構成を適用し易い。しかし、各町内等で分散して物資を準備できるような分散備蓄型の小型の倉庫には、収納スペースを狭めたり、製造工数やコストがかかることとなって、上記の構成を適用し難い。
【０００４】
本考案は、上述の課題を解決するものであり、簡便な構成で倉庫内の温度上昇を抑えることができる防災備蓄倉庫を提供することを目的とする。
【課題を解決するための手段】
【０００５】
本考案に係る防災備蓄倉庫は、防災用物資を収納する防災備蓄倉庫であって、
防災用物資を収納可能として開閉可能な扉部を有した倉庫本体と、
倉庫本体の上面側を構成している天井壁との間に、側方からの空気の流入と排出とを可能とする隙間を空けて、倉庫本体の天井壁の上方を覆うように配設される屋根部材と、
を備えて構成されていることを特徴とする。
【０００６】
本考案に係る防災備蓄倉庫は、倉庫本体の屋根部分が、倉庫本体の天井壁と、その天井壁の上方を覆うように配置される屋根部材と、を設けた二重屋根構造としている。そして、その倉庫本体の天井壁とその上方の屋根部材との間には、側方からの空気の流入と排出とを可能とする隙間が空けられており、倉庫本体の上方に、空気による断熱層が配設される状態となり、夏季に直射日光が屋根部材に当たっても、倉庫本体内の温度上昇を抑えることが可能となる。さらに、倉庫本体の天井壁とその上方の屋根部材との間の隙間に、風が吹いて空気が流れれば、倉庫本体の天井壁の空冷も可能となって、一層、倉庫本体内の温度上昇を抑えることが可能となる。
【０００７】
そして、このような倉庫本体内の温度上昇を抑える構造が、倉庫本体の天井壁と、その天井壁の上方を覆うように配置される屋根部材と、を設けた二重屋根構造であり、簡便に構成でき、例えば、市販の物置の上方に、単に、屋根部材を設けるだけの作業で、本考案に係る防災備蓄倉庫を容易に製造することができる。
【０００８】
したがって、本考案に係る防災備蓄倉庫は、二重屋根構造とする簡便な構成で倉庫内の温度上昇を抑えることができ、そして、市販の物置を改造する等して、容易に製造することもできる。
【０００９】
そして、屋根部材は、上面側に配置される板状の屋根板材と、屋根板材を下面側から支持可能に倉庫本体の天井壁と屋根板材との間に配置される支持部材と、から構成し、屋根板材は、一方の縁側を高く、他方の縁側を低くするように傾斜させて支持部材に支持されるように配設するとともに、傾斜方向と直交する方向の断面を連続する凹凸の山形状とすることが望ましい。
【００１０】
このような構成では、屋根部材の上面の屋根板材が、断面を連続する凹凸の山形状（鋸刃状）として、連続するリブを設けた形状のように、曲げに対する強度を確保できて、屋根板材の上に、人が載っても、凹んだり曲がったりすることを防止できる。また、屋根板材は、凹凸の凹む溝に沿って高低差を設けて傾斜して配設されているため、雨水を低い側に流して、水はけを良好にすることができる。
【００１１】
そして、この場合には、扉部は、倉庫本体の正面に配設し、屋根板材は、正面側の前縁側を高く、背面側の後縁側を低くする傾斜として、配設することが望ましい。
【００１２】
このような構成では、降雨時に扉部を開けて防災用物資を出し入れする際、屋根板材の上面側に降った雨水が、背面側に流下して、扉部を開けて出入りする正面側の作業者に流下することを、防止できる。
【考案を実施するための最良の形態】
【００１３】
以下、本考案の一実施形態を図面に基づいて説明すると、実施形態の防災備蓄倉庫１０は、図１〜５に示すように、ガスボンベ２，炊飯かまど３，釜４，図示しない食材等の防災用物資１を収納させる倉庫本体１１と、倉庫本体１１の上面側を構成している天井壁２６との間に、側方からの空気Ａの流入と排出とを可能とする隙間Ｓを前後左右に空けて、倉庫本体１１の天井壁２６の上方を覆うように配設される屋根部材３０と、を備えて構成されている。
【００１４】
倉庫本体１１は、鋼板等の金属板から形成される正面壁１２、背面壁１６、左右の側壁１８，１９、底壁２２、及び、天井壁２６を備えて構成される直方体としている。正面壁１２には、長方形状の開口１３を開閉可能とするシャッターからなる扉部１４が、配設されている。左右の側壁１８，１９には、換気口２０が形成されている。換気口２０は、排気用の換気口２０ａと吸気用の換気口２０ｂが配設されている。底壁２２は、下面に、ブロックからなる複数の脚部２３を配設させている。脚部２３は、止め片２４を利用して、側壁１８，１９に連結されている。
【００１５】
屋根部材３０は、屋根板材３５と、屋根板材３５を支持する支持部材３１と、から構成されている。屋根板材３５は、屋根部材３０の上面側に配置される板状として、ガルバリウム鋼板等の金属板から形成され、断面を連続する凹凸の山形状（鋸刃状）としている。また、屋根板材３５は、一方の前縁３５ａ側を高く、他方の後縁３５ｂ側を低くするように傾斜して、配設されている。そして、屋根板材３５は、高低差のある前後方向と直交する方向に沿って、すなわち、左右方向に沿って、連続する凹凸形状を配置させて、倉庫本体１１の天井壁２６の全域の上方を覆えるように、配設されている。
【００１６】
支持部材３１は、屋根板材３５を下面側から支持可能に、複数の支持脚部３２と支持枠部３３とから構成されている。各支持脚部３２は、前後左右の相互に隙間Ｓを空けて、天井壁２６の上面の周縁に対し、ボルトや溶接等を利用して固着されている。そして、各支持脚部３２は、前縁２６ａ側に配置されるものが、後縁２６ｂ側に配置されるものより、上下方向の長さ寸法を長くしている。支持枠部３３は、各支持脚部３２の上端に対して、ボルトや溶接等を利用して連結固定される外枠部３３ａと、外枠部３３ａの内側に固着される桟部３３ｂと、を備えて構成されている。そして、屋根板材３５が、その下面３５ｃ側を、支持枠部３３に対して、ボルトや溶接等を利用して固定されて固着されている。
【００１７】
なお、支持脚部３２や支持枠部３３は、鋼等の金属製のアングル材、チャンネル材、パイプ材等から形成されている。
【００１８】
また、実施形態の防災備蓄倉庫１０では、市販の物置を倉庫本体１１として利用し、その天井壁２６に屋根部材３０を取り付けて製造している。
【００１９】
この防災備蓄倉庫１０では、図１・５に示すように、扉部１４を開けて、開口１３から、倉庫本体１１の内部に、ガスボンベ２，炊飯かまど３，釜４，図示しない食材等の防災用物資１を収納させ、そして、扉部１４を閉じて、防災用物資１を備蓄しておく。
【００２０】
そして、実施形態の防災備蓄倉庫１０では、倉庫本体１１の屋根部分ＲＦが、倉庫本体１１の天井壁２６と、その天井壁２６の上方を覆うように配置される屋根部材３０と、を設けた二重屋根構造としている。そして、その倉庫本体１１の天井壁２６とその上方の屋根部材３０との間には、側方からの空気Ａの流入と排出とを可能とする隙間Ｓが空けられており、倉庫本体１１の上方に、空気Ａによる断熱層ＨＩが配設される状態となり、夏季に直射日光が屋根部材３０に当たっても、倉庫本体１１内の温度上昇を抑えることが可能となる。さらに、倉庫本体１１の天井壁２６とその上方の屋根部材３０との間の隙間Ｓに、風が吹いて空気Ａが流れれば、倉庫本体１１の天井壁２６の空冷も可能となって、一層、倉庫本体１１内の温度上昇を抑えることが可能となる。
【００２１】
そして、このような倉庫本体１１内の温度上昇を抑える構造が、倉庫本体１１の天井壁２６と、その天井壁２６の上方を覆うように配置される屋根部材３０と、を設けた二重屋根構造であり、簡便に構成でき、市販の物置の上方に、単に、屋根部材３０を設けるだけの作業で、実施形態の防災備蓄倉庫１０を容易に製造することができる。
【００２２】
したがって、実施形態の防災備蓄倉庫１０は、二重屋根構造とする簡便な構成で内部の温度上昇を抑えることができ、そして、市販の物置を改造する等して、容易に製造することもできる。
【００２３】
そして、実施形態では、屋根部材３０が、上面側に配置される板状の屋根板材３５と、屋根板材３５を下面側から支持可能に倉庫本体１１の天井壁２６と屋根板材３５との間に配置される支持部材３１と、から構成されて、屋根板材３５が、一方の前縁３５ａ側を高く、他方の後縁３５ｂ側を低くするように傾斜させて支持部材３１に支持されて配設されるとともに、傾斜方向と直交する方向の断面を連続する凹凸の山形状としている。
【００２４】
そのため、屋根部材３０の上面の屋根板材３５が、断面を連続する凹凸の山形状（鋸刃状）として、連続するリブを設けた形状のように、曲げに対する強度を確保できて、屋根板材３５の上に、人が載っても、凹んだり曲がったりすることを防止できる。また、屋根板材３５は、凹凸の凹む溝３６に沿って高低差を設けて傾斜して配設されているため、雨水を低い後縁３５ｂ側に流して流下させるように、水はけを良好にすることができる。
【００２５】
また、実施形態の防災備蓄倉庫１０では、扉部１４が、倉庫本体１１の正面に配設され、屋根板材３５が、正面側の前縁３５ａ側を高く、背面側の後縁３５ｂ側を低くする傾斜として、配設されている。
【００２６】
そのため、降雨時に扉部１４を開けて防災用物資１を出し入れする際、屋根板材３５の上面３５ｄ側に降った雨水が、背面側に流下して、扉部１４を開けて出入りする正面側の作業者に流下することを、防止できる。
【００２７】
なお、実施形態では、屋根板材３５の凹凸の山形状を、連続する三角屋根状のものを例示したが、屋根板材の断面の凹凸の山形状は、強度向上と雨水の水はけが良好であれば、図６に示す屋根板材３５Ａのように、頂部を丸くして連続する形状でもよい。さらに、図６の括弧書きに示す屋根板材３５Ｂのように、凹部若しくは凸部の間に平板状の部位を設けた角波形の山形状としてもよい。
【００２８】
勿論、強度向上と雨水の水はけを考慮しなければ、平板状や緩やかに曲がる曲面状の屋根板材を使用してもよい。
【００２９】
また、実施形態では、防災用物資１を出し入れするために操作する扉部１４を、シャッターから構成した場合を示したが、揺動させて開閉させるドアタイプやスライドさせて開く引き戸タイプの扉部としてもよい。
【００３０】
さらに、本考案に係る防災備蓄倉庫では、収納スペースを狭くしなければ、倉庫本体の壁面に、ウレタン等からなる断熱材を設置してもよく、その場合でも、二重屋根構造により、倉庫本体の温度上昇を抑えることができる。
【図面の簡単な説明】
【００３１】
【図１】本考案の一実施形態の防災備蓄倉庫の正面図である。
【図２】実施形態の防災備蓄倉庫の側面図である。
【図３】実施形態の防災備蓄倉庫の断面図であり、図１のIII−III部位に対応する。
【図４】実施形態の防災備蓄倉庫の分解斜視図である。
【図５】実施形態の防災備蓄倉庫の扉部を開けた状態を示す正面図である。
【図６】実施形態の変形例を示す分解斜視図である。
【符号の説明】
【００３２】
１…防災用物資、
１０…防災備蓄倉庫、
１１…倉庫本体、
１４…扉部、
２６…天井壁、
３０…屋根部材、
３１…支持部材、
３５・３５Ａ・３５Ｂ…屋根板材、
Ａ…空気、
Ｓ…隙間。
【図１】
0003121540.tif 000003
【図２】
0003121540.tif 000004
【図３】
0003121540.tif 000005
【図４】
0003121540.tif 000006
【図５】
0003121540.tif 000007
【図６】
0003121540.tif 000008